(57)【要約】【課題】互いに太さの異なる２つのコントローラを安定的に支持できるコントローラ支持装置を提供する。【解決手段】コントローラ支持装置１０は、第１コントローラ９０を嵌めることができる大きさの支持凹部１３が形成された台座１２を有している。また、コントローラ支持装置１０は、支持凹部１３に嵌められたコントローラの外面に押し当てて、当該コントローラを支持するための支持部材２１を有している。支持部材２１は、第１コントローラ９０が支持凹部１３に嵌められた時に当該第１コントローラ９０の外面に当る第１支持位置と、第１コントローラ９０より細い第２コントローラ８０が支持凹部１３に嵌められた時に当該第２コントローラ８０の外面に当る第２支持位置との間を移動可能となっている。【選択図】図１１
2011234744.tif 000002
【特許請求の範囲】
【請求項１】
互いに太さの異なる第１のコントローラと第２のコントローラのいずれをも嵌めることができる大きさの凹部が形成された台座と、
前記台座によって支持され、且つ、前記第１のコントローラが前記凹部に嵌められた時に当該第１のコントローラの外面に押し当てられる第１の位置と、前記第２のコントローラが前記凹部に嵌められた時に当該第２のコントローラの外面に押し当てられる第２の位置との間を移動可能な支持部材と、
を有することを特徴とするコントローラ支持装置。
【請求項２】
請求項１に記載のコントローラ支持装置において、
前記凹部に嵌められるコントローラが前記凹部内の所定の位置に到来した時に、当該コントローラに押されて移動する被押圧部と、
前記被押圧部と連動可能に設けられ、前記被押圧部が移動した時に前記支持部材の移動を抑制するように動く係止部と、を有するストッパ機構をさらに備える、
ことを特徴とするコントローラ支持装置。
【請求項３】
請求項２に記載のコントローラ支持装置において、
前記第２のコントローラは、前記第１のコントローラよりも細いコントローラであり、
前記第２のコントローラが前記所定の位置に到来したときに、前記係止部は、前記支持部材の前記第２の位置から前記第１の位置への移動を規制する、
ことを特徴とするコントローラ支持装置。
【請求項４】
請求項３に記載のコントローラ支持装置において、
前記係止部は、前記被押圧部が移動した時に、前記支持部材の進路上の位置に移動する、
ことを特徴とするコントローラ支持装置。
【請求項５】
請求項４に記載のコントローラ支持装置において、
前記第２の位置は前記第１の位置よりも前記凹部の内方に位置し、
前記支持部材は、前記第２の位置よりもさらに内方の通常位置と、前記第１の位置との間で移動可能となっており、且つ、前記通常位置に向けて付勢されている、
ことを特徴とするコントローラ支持装置。
【請求項６】
請求項１に記載のコントローラ支持装置において、
前記支持部材は、前記第１のコントローラと前記第２のコントローラのそれぞれの外面に形成された被係合部と嵌り合うように形成された係合部を有する、
ことを特徴とするコントローラ支持装置。
【請求項７】
請求項６に記載のコントローラ支持装置において、
前記係合部は、その先端が前記支持部材から突出するように配置されるとともに、後退可能となるように設けられている、
ことを特徴とするコントローラ支持部材。
【請求項８】
請求項１に記載のコントローラ支持装置において、
前記支持部材として、互いに向き合うように配置される２つの支持部材を有する、
ことを特徴とするコントローラ支持部材。
【請求項９】
請求項１に記載のコントローラ支持装置において、
前記第１のコントローラ及び前記第２のコントローラと電気的に接続するための接触部を有する端子をさらに備える、
ことを特徴とするコントローラ支持装置。
【請求項１０】
請求項９に記載のコントローラ支持装置において、
前記凹部に嵌められるコントローラが前記凹部内の所定の位置に到来した時に、当該コントローラに押されて移動する被押圧部を、さらに備え、
前記台座は前記端子の前記接触部を収容する収容部を有し、
前記端子の前記接触部は、前記被押圧部と連動可能に設けられ、前記被押圧部が移動した時に前記台座の前記収容部から突出する、
ことを特徴とするコントローラ支持装置。
【請求項１１】
請求項１０に記載のコントローラ支持装置において、
前記台座の前記凹部の内面には、少なくとも一部が前記被押圧部よりも高い位置に位置するとともに、前記第１のコントローラと前記第２のコントローラに形成された凹部と嵌合可能な凸部が形成されている、
ことを特徴とするコントローラ支持装置。
【請求項１２】
請求項１に記載のコントローラ支持装置において、
前記支持部材は、前記第１コントローラと前記第２コントローラの外周面における少なくとも２つの位置で前記外周面に当接する当接部を含む、
ことを特徴とするコントローラ支持装置。
【請求項１３】
請求項１２に記載のコントローラ支持装置において、
前記少なくとも２つの位置は、前記凹部の中心線を通り且つ前記支持部材の移動方向と平行な平面を挟んで互いに反対側に位置している、
ことを特徴とするコントローラ支持装置。
【請求項１４】
請求項１に記載のコントローラ支持装置において、
前記台座には２つの前記凹部が形成され、
前記２つの凹部のそれぞれに前記支持部材が設けられている、
ことを特徴とするコントローラ支持装置。
【請求項１５】
第１のコントローラと、
前記第１のコントローラと太さの異なる第２のコントローラと、
前記第１のコントローラと前記第２のコントローラとを支持するためのコントローラ支持装置と、を備えるコントローラ支持システムにおいて、
前記コントローラ支持装置は、
前記第１のコントローラと前記第２のコントローラのいずれをも嵌めることができる大きさの凹部が形成された台座と、
前記台座に支持され、且つ、前記第１のコントローラが前記凹部に嵌められた時に当該第１のコントローラの外面に押し当てられる第１の位置と、前記第２のコントローラが前記凹部に嵌められた時に当該第２のコントローラの外面に押し当てられる第２の位置との間を移動可能な支持部材と、を備える、
ことを特徴とするコントローラ支持システム。
【発明の詳細な説明】
【技術分野】
【０００１】
本発明は、互いに太さの異なる２つのコントローラの支持に利用できるコントローラ支持装置、及び、それを含むコントローラ支持システムに関する。
【背景技術】
【０００２】
従来、ゲーム装置や、オーディオビジュアル装置において、ユーザが手で操作するコントローラが利用されている（例えば、下記特許文献１参照）。こういったコントローラには、ユーザが片手で握って操作できるコントローラがある。近年では、この種のコントローラが利用可能な電子機器として、ユーザによる操作方法が異なる２つのコントローラが利用可能なものある。例えば、ユーザが主にボタン操作するコントローラと、ユーザがコントローラを揺らしたときにその揺れを検知し、その揺れに応じた信号を出力するコントローラとが利用可能なゲーム装置がある。こういったコントローラは、ユーザの操作の仕方に応じて、その太さ等が設定されている。
【先行技術文献】
【特許文献】
【０００３】
【特許文献１】米国特許第６２３１４４４号
【発明の概要】
【発明が解決しようとする課題】
【０００４】
こういったコントローラを、その不使用時に、立てた状態で支持するための支持装置が検討されている。しかしながら、２つのコントローラの太さが異なる場合に、一方のコントローラの太さにのみ適合した支持装置は、他方のコントローラを安定的に支持できず、利便性が良くない。
【０００５】
本発明は上記課題に鑑みてなされたものであって、その目的は、互いに太さの異なる２つのコントローラを安定的に支持できるコントローラ支持装置、及び、コントローラ支持システムを提供することにある。
【課題を解決するための手段】
【０００６】
上記課題を解決するために、本発明に係るコントローラ支持装置は、互いに太さの異なる第１のコントローラと第２のコントローラのいずれをも嵌めることができる大きさの凹部が形成された台座を備える。また、前記コントローラ支持装置は、前記台座によって支持され、且つ、前記第１のコントローラが前記凹部に嵌められた時に当該第１のコントローラの外面に押し当てられる第１の位置と、前記第２のコントローラが前記凹部に嵌められた時に当該第２のコントローラの外面に押し当てられる第２の位置との間を移動可能な支持部材を備える。
【０００７】
また、上記課題を解決するために、本発明に係るコントローラ支持システムは、第１のコントローラと、前記第１のコントローラと太さの異なる第２のコントローラと、前記第１のコントローラと前記第２のコントローラとを支持するためのコントローラ支持装置と、を備える。前記コントローラ支持装置は、前記第１のコントローラと前記第２のコントローラのいずれをも嵌めることができる大きさの凹部が形成された台座を備える。また、前記コントローラ支持装置は、前記台座に支持され、且つ、前記第１のコントローラが前記凹部に嵌められた時に当該第１のコントローラの外面に押し当てられる第１の位置と、前記第２のコントローラが前記凹部に嵌められた時に当該第２のコントローラの外面に押し当てられる第２の位置との間を移動可能な支持部材を備える。
【０００８】
本発明によれば、前記コントローラ支持装置によって、第１のコントローラと第２のコントローラのいずれをも安定的に支持できる。
【０００９】
また、本発明の一態様では、前記コントローラ支持装置は、前記凹部に嵌められるコントローラが前記凹部内の所定の位置に到来した時に、当該コントローラに押されて移動する被押圧部と、前記被押圧部と連動可能に設けられ、前記被押圧部が動いた時に前記支持部材の移動を抑制するように動く係止部と、を有するストッパ機構をさらに備えてもよい。この態様によれば、凹部に嵌められたコントローラをさらに安定的に支持できる。
【００１０】
また、この態様では、前記第２のコントローラは、前記第１のコントローラよりも細いコントローラであり、前記第２のコントローラが前記所定の位置に到来したときに、前記係止部は、前記支持部材の前記第２の位置から前記第１の位置への移動を規制してもよい。こうすることによって、第２のコントローラが台座に形成された凹部に嵌められた時に、支持部材が第１の位置に向けて移動しないので、第２のコントローラの支持をさらに安定させることができる。この態様では、さらに、前記係止部は、前記被押圧部が移動した時に、前記支持部材の進路上の位置に移動するよう配置されてもよい。
【００１１】
また、この態様では、前記第２の位置は前記第１の位置よりも前記凹部の内方に位置し、前記支持部材は、前記第２の位置よりもさらに内方の通常位置と、前記第１の位置との間で移動可能となっており、且つ、前記通常位置に向けて付勢されてもよい。こうすることによって、第２のコントローラが台座に形成された凹部に嵌められた時に、第２の位置にある支持部材が通常位置に向けて付勢されるので、第２のコントローラの支持をさらに安定させることができる。
【００１２】
また、本発明の他の態様では、前記支持部材は、前記第１のコントローラと前記第２のコントローラのそれぞれの外面に形成された被係合部と嵌り合うように形成された係合部を有してもよい。この態様よれば、第１のコントローラと第２のコントローラのいずれをもさらに安定的に支持できる。
【００１３】
また、この態様では、前記係合部は、その先端が前記支持部材から突出するように配置され、且つ後退可能となるように設けられてもよい。こうすることによって、ユーザが第１のコントローラと第２のコントローラを凹部に嵌め易くなる。また、ユーザが、第１のコントローラと第２のコントローラを凹部から円滑に抜くことができるようになる。
【００１４】
また、本発明のさらに他の態様では、前記支持部材として、互いに向き合うように配置される２つの支持部材を有してもよい。この態様によれば、第１のコントローラと第２のコントローラのいずれをもさらに安定的に支持できる。
【００１５】
また、本発明のさらに他の態様では、前記コントローラ支持装置は、前記第１のコントローラ及び前記第２のコントローラと電気的に接続するための接触部を有する端子をさらに備えてもよい。この態様によれば、例えば、凹部に嵌められたコントローラを充電できるようになる。
【００１６】
また、この態様では、前記コントローラ支持装置は、前記凹部に嵌められるコントローラが前記凹部内の所定の位置に到来した時に、当該コントローラに押されて移動する被押圧部を、さらに備えてもよい。そして、前記台座は前記端子の前記接触部を収容する収容部を有し、前記端子の前記接触部は、前記被押圧部と連動可能に設けられ、前記被押圧部が移動した時に前記台座の前記収容部から突出してもよい。こうすることによって、端子の接触部に対するコントローラの位置が適切でない場合に、接触部がコントローラに当ることを防止できる。
【００１７】
また、この態様では、さらに、前記台座の前記凹部の内面には、少なくとも一部が前記被押圧部よりも高い位置に位置するとともに、前記第１のコントローラと前記第２のコントローラに形成された凹部と嵌合可能な凸部が形成されてもよい。こうすることによって、コントローラの凹部に対する向きが適切な場合に、端子の接触部が収容部から突出するようになる。
【００１８】
また、本発明のさらに他の態様では、前記支持部材は、前記第１コントローラと前記第２コントローラの外周面における少なくとも２つの位置で前記外周面に当接する当接部を含んでもよい。この態様によれば、凹部に嵌められたコントローラをさらに安定的に支持できる。
【００１９】
また、この態様では、さらに、前記少なくとも２つの位置は、前記凹部の中心線を通り且つ前記支持部材の移動方向と平行な平面を挟んで互いに反対側の位置でもよい。こうすることによって、凹部に嵌められたコントローラが、支持部材の移動方向に対して直交する方向に傾倒するのを抑制できる。
【００２０】
また、本発明のさらに他の態様では、前記台座には２つの前記凹部が形成され、前記２つの凹部のそれぞれに前記支持部材が設けられてもよい。この態様によれば、第１のコントローラと第２のコントローラの双方を同時に支持できる。また、第１のコントローラと第２のコントローラをいずれの凹部にも嵌めることができる。
【図面の簡単な説明】
【００２１】
【図１】本発明の実施形態の例であるコントローラ支持システムの構成を示す図である。
【図２】上記コントローラ支持システムを構成するコントローラ支持装置の分解斜視図である。
【図３】上記コントローラ支持装置が有する支持装置本体の斜視図である。
【図４】上記支持装置本体の平面図である。
【図５】図４に示すＶ−Ｖ線での断面図である。
【図６】図４に示すＶＩ−ＶＩ線での断面図である。
【図７】上記支持装置本体の背面図である。
【図８】上記支持装置本体の正面図である。
【図９】上記支持装置本体の底面図である。
【図１０】図４に示すＸ−Ｘ線での断面図である。
【図１１】上記支持装置本体が有する支持部材の動きを示すための平面図である。図１１（ａ）は、いずれのコントローラも装着されていない通常状態での支持装置本体を示し、図１１（ｂ）は第２コントローラが装着された時の支持装置本体を示し、図１１（ｃ）は第１コントローラが装着された時の支持装置本体を示している。
【図１２】上記支持装置本体が有するストッパ機構の動きを示す図である。図１２（ａ）は通常状態にある支持装置本体を示し、図１２（ｂ）は、第２コントローラが装着された時の支持装置本体を示している。
【図１３】上記支持装置本体が有するストッパ機構の動きを示す図である。図１３（ａ）は、通常状態にある支持装置本体を示し、図１３（ｂ）は、第２コントローラが装着された時の支持装置本体を示し、図１３（ｃ）は第１コントローラが装着された時の支持装置本体を示している。
【図１４】上記コントローラ支持装置に設けられた端子の動きを説明するための図である。図１４（ａ）は、通常状態にある支持装置本体を示し、図１４（ｂ）はコントローラが装着された時の支持装置本体を示している。
【図１５】本発明の他の態様におけるコントローラ支持装置の斜視図である。図１５（ａ）は当該コントローラ支持装置を斜め上方から臨む図であり、図１５（ｂ）は当該コントローラ支持装置を斜め下方から臨む図である。
【図１６】図１５に示すコントローラ支持装置の斜視図であり、同図においてはコントローラ支持装置の蓋部材が取り外されている。
【発明を実施するための形態】
【００２２】
以下、本発明の一実施形態について図面を参照しながら説明する。図１は本発明の実施形態の例であるコントローラ支持システム１の構成を示す図である。
【００２３】
図１に示すように、コントローラ支持システム１は、ユーザの操作に応じて電子機器（不図示）を制御するための第１コントローラ９０と第２コントローラ８０とを有している。この例の第２コントローラ８０と第１コントローラ９０は、ユーザの操作に応じてゲーム機を制御するためのコントローラである。ユーザは、その使用時には、第２コントローラ８０と第１コントローラ９０の双方を、或いは、いずれか一方を手で握って操作する。
【００２４】
第２コントローラ８０は、複数の押しボタン８１と、ユーザが前後左右に傾けて操作することのできる操作スティック８２とを有している。第１コントローラ９０も複数の押しボタン９１を有している。また、第１コントローラ９０は、加速度センサを内蔵しており、例えばユーザが第１コントローラ９０を揺らしたときに、その揺れを検知する。この例の第２コントローラ８０と第１コントローラ９０は、その使用時には無線でゲーム機と繋がり、ユーザの操作に応じた信号をゲーム機に送信する。また、第２コントローラ８０と第１コントローラ９０は充電式の電池を内蔵しており、後述するようにコントローラ支持装置１０によって充電される。
【００２５】
第２コントローラ８０と第１コントローラ９０はいずれも、細長いコントローラである。第２コントローラ８０と第１コントローラ９０は互いに太さが異なっている。換言すると、第２コントローラ８０の幅（後述する支持部材２１が当接する方向（この例では左右方向（Ｘ１−Ｘ２方向）での幅）と第１コントローラ９０の幅が互いに異なっている。具体的には、第２コントローラ８０は第１コントローラ９０よりも細くなっている。この例では、第１コントローラ９０と第２コントローラ８０は概ね円柱状であり、第２コントローラ８０の断面（第２コントローラ８０の長さ方向に直交する面を切断面とする断面）の外径は、第１コントローラ９０の断面（第１コントローラ９０の長さ方向に直交する面を切断面とする断面）の外径よりも小さくなっている。また、第２コントローラ８０の底面８３と第１コントローラ９０の底面９３は、いずれも半球状に丸められている。
【００２６】
図１に示すように、コントローラ支持システム１は、コントローラ８０，９０を支持するためのコントローラ支持装置１０を含んでいる。図２はコントローラ支持装置１０の分解斜視図である。図３はコントローラ支持装置１０が有する支持装置本体１１の斜視図である。図４は支持装置本体１１の平面図である。図５は図４に示すＶ−Ｖ線での断面図であり、図６は図４に示すＶＩ−ＶＩ線での断面図である。図７は支持装置本体１１の背面図、すなわち、図３において矢印ＶＩＩの示す方向に支持装置本体１１を臨む図である。図８は支持装置本体１１の正面図である。図９は支持装置本体１１の底面図である。図１０は図４に示すＸ−Ｘ線での断面図である。
【００２７】
図２又は図３に示すように、コントローラ支持装置１０は、筐体１９に収容された支持装置本体１１を有している。支持装置本体１１は、コントローラ８０，９０を載せるための台座１２を有している。
【００２８】
図３又は図５に示すように、台座１２は概ね水平な板状に形成された上板部１４を有している。上板部１４には上方に開いた凹部（以下、支持凹部）１３が形成されている。支持凹部１３は太い方のコントローラである第１コントローラ９０の下部（ここでは半球状の部分）を嵌めることができる大きさを有している。詳細には、支持凹部１３は、半球状の底面８３，９３に対応して概ね半球状に形成され、その上縁１３ｉは略円形となっている。また、支持凹部１３の内径（上縁１３ｉの直径Ｒ）は、第１コントローラ９０の太さに対応した大きさとなっている。具体的には、支持凹部１３の内径は第１コントローラ９０の外径と概ね等しくなっている。支持凹部１３には、細い方のコントローラである第２コントローラ８０の下部をも嵌めることができる。
【００２９】
また、図３に示すように、支持装置本体１１は２つの支持部材２１を有している。支持部材２１は、支持凹部１３に嵌められたコントローラ８０，９０の外周面（外面における、コントローラ８０，９０の中心線を囲む略筒状の部分）に押し当てられて、これらを支持する部材である。２つの支持部材２１は、概ね左右対称の形状を有し、且つ、左右方向（図においてＸ１−Ｘ２が示す方向）において互いに向き合うように配置されている。
【００３０】
図４又は図１０に示すように、支持部材２１は板状に形成され、上板部１４上で支持されている。支持部材２１の前後方向（Ｙ１−Ｙ２方向）の幅は、支持凹部１３の前後方向の幅より大きくなっており、支持部材２１は、支持凹部１３の一部（外側部分）を上方から覆っている。すなわち、支持部材２１は、支持凹部１３の上縁１３ｉを越えて、支持凹部１３の内方に向かって、すなわち、鉛直方向に向いた支持凹部１３の中心線Ｃに向かって張り出すように配置されている。そのため、左右の支持部材２１の互いに対向する面（以下、当接面）２１ａは、支持凹部１３の上縁１３ｉよりも内方に位置している。
【００３１】
支持部材２１は上板部１４上で左右方向に移動可能となっている。この例では、コントローラ支持装置１０は２つの支持部材２１を有し、それらは開閉可能に設けられている。すなわち、２つの支持部材２１は、互いに接近、或いは離れることができるように支持されている。
【００３２】
図１１は、支持部材２１の動きを示すための平面図である。図１１（ａ）は通常状態（いずれのコントローラ８０，９０も装着されていない状態）にある支持装置本体１１を示し、図１１（ｂ）は第２コントローラ８０が装着された時の支持装置本体１１を示し、図１１（ｃ）は第１コントローラ９０が装着された時の支持装置本体１１を示している。
【００３３】
上述したように、支持凹部１３は、第２コントローラ８０の下部と第１コントローラ９０の下部のいずれをも嵌めることができる大きさに形成されている。図１１に示すように、支持部材２１は、第１コントローラ９０が支持凹部１３に嵌められた時に第１コントローラ９０の外周面に当る位置（図１１（ｃ）で示される支持部材２１の位置、以下において第１支持位置）と、第２コントローラ８０が支持凹部１３に嵌められた時に当該第２コントローラの外周面に当る位置（図１１（ｂ）で示される支持部材２１の位置、以下において第２支持位置）との間を移動可能となっている。この例では、第２コントローラ８０は第１コントローラ９０よりも細いコントローラである。そのため、第２支持位置は、第１支持位置よりも支持凹部１３の中心線Ｃに近くなっており、すなわち第１支持位置よりも支持凹部１３の内方の位置である。そのため、第２支持位置にある２つの支持部材２１の間隔は、第１支持位置にあるそれらの間隔よりも小さくなっている。
【００３４】
また、図４及び図１１（ａ）に示すように、支持部材２１は、いずれのコントローラ８０，９０も支持凹部１３に嵌められていない通常状態においては、第２支持位置よりもさらに支持凹部１３の中心線Ｃに近い位置、すなわち第２支持位置よりもさらに内方の位置（以下、通常位置）に位置している。左右の支持部材２１が通常位置にあるときに、それらの当接面２１ａの間隔が最も小さくなっている。
【００３５】
支持部材２１は通常位置に向けて付勢されている。この例では、図８又は図９に示すように、左右の支持部材２１の前縁には、下方に突出する凸部２４が形成されている。左右の支持部材２１の凸部２４に、これらを引き寄せる力を発揮するバネ２９が掛け渡されている。また、図３に示すように、支持部材２１の後部２１ｇには、後方に突出する凸部２７が形成されている。左右の支持部材２１の凸部２７にも、これらを引き寄せる力を発揮するバネ４１が掛け渡されている。これによって、第２コントローラ８０或いは第１コントローラ９０が支持凹部１３から取り外されたときには、支持部材２１は通常位置に戻る。
【００３６】
なお、図３に示すように、台座１２の上板部１４には、上方に突出するとともに、左右の支持部材２１の間に位置するストッパ１４ｂが形成されている。この例では、ストッパ１４ｂは、左右の支持部材２１の後部２１ｇの間に位置し、それらが通常位置を越えて互いに接近することを阻止している。
【００３７】
支持凹部１３に第２コントローラ８０が嵌められるときには、２つの支持部材２１は、バネ２９，４１の力に抗して、第２コントローラ８０の底面８３によって押し広げられる。その結果、２つの支持部材２１は、通常位置から第２支持位置まで移動する。そして、２つの支持部材２１は、バネ２９，４１の力を受けて、左右から第２コントローラ８０を挟み、これらを保持する。また、第１コントローラ９０が支持凹部１３に嵌められるときにも、２つの支持部材２１は、バネ２９，４１の力に抗して、底面９３によって押し広げられる。その結果、２つの支持部材２１は、通常位置から第２支持位置を通過して第１支持位置まで移動する。そして、２つの支持部材２１は、バネ２９，４１の力を受けて、左右から第１コントローラ９０を挟む。
【００３８】
図４に示すように、支持部材２１の当接面２１ａは、第１コントローラ９０と第２コントローラ８０の外周面に合わせて形成されている。この例では、コントローラ８０，９０は概ね円柱状に形成されている。そのため、当接面２１ａは、それらの外周面に合わせて湾曲している。この例では２つの支持部材２１が互いに向き合うように配置されているため、各支持部材２１の当接面２１ａは、コントローラ８０，９０の外周面の半周に合わせて湾曲し、平面視で円弧状となっている。そして、２つの当接面２１ａは、支持凹部１３にコントローラ８０，９０が嵌められた時には、それらの外周面を取り囲む。なお、支持凹部１３の上縁１３ｉは円形であり、当接面２１ａは、コントローラ８０，９０の外周面と上縁１３ｉとに合わせて湾曲している（図１１（ｃ）参照）。支持凹部１３にコントローラ８０，９０が嵌められた時には、上縁１３ｉはそれらの外周面に当ることなく、当接面２１ａが外周面に当る。
【００３９】
２つの当接面２１ａの間には隙間が設けられており、それらの隙間から、支持凹部１３の上縁１３ｉの一部が露出している。すなわち、図４に示すように、支持部材２１には、円弧状の当接面２１ａの端部から前方及び後方にそれぞれ伸びる対向面２１ｈが形成されている。左右の支持部材２１の対向面２１ｈは互いに向き合うと共に、左右方向に離れて位置している。支持凹部１３の上縁１３ｉの一部は、左右の対向面２１ｈの間から露出している。第1コントローラ９０よりも細い第２コントローラ８０が支持凹部１３に嵌められた時には、第２コントローラ８０の外周面と、左右の対向面２１ｈの間から露出した、上縁１３ｉの一部との間に僅かな隙間が設けられる。
【００４０】
第２コントローラ８０は第１コントローラ９０よりも細いコントローラであるため、２つのコントローラ８０，９０の湾曲度合いは異なっている。そのため、この例の当接面２１ａは、図４に示すように、第２コントローラ８０の外周面に当接する第２当接面２１ｂと、第２当接面２１ｂの両側に位置し、第１コントローラ９０の外周面に当接する２つの第１当接面２１ｃとを含んでいる。第２当接面２１ｂは、互いに離れた少なくとも２つの位置で、第２コントローラ８０の外周面に当接する。この例では、第２当接面２１ｂは、第２コントローラ８０の外周面に合わせて湾曲した円弧状であり、その全体が第２コントローラ８０の外周面に当接する。第２当接面２１ｂは、支持凹部１３の中心線Ｃを通り且つ支持部材２１の移動方向（この例では左右方向（Ｘ１−Ｘ２方向））と平行な平面Ｐ１の両側に形成されている。そのため、支持部材２１が第２コントローラ８０に押し付けられたとき、当該第２コントローラ８０の前後方向（支持部材２１の移動方向に垂直な方向）への傾倒も抑えられる。また、２つの第1当接面２１ｃは、平面Ｐ１を挟んで互いに反対側に位置している。そのため、支持部材２１が第１コントローラ９０に押し付けられたとき、第１コントローラ９０の前後方向への傾倒も抑えられる。このようにして、各支持部材２１は、コントローラ８０，９０の外周面の半周における複数の位置を支持する。
【００４１】
台座１２と支持部材２１とには、支持部材２１の移動方向を規制するガイドが形成されている。この例では、図４又は図９に示すように、上板部１４には、左右方向に細長い複数のガイド溝１４ａが形成されている。上板部１４の右側と左側のそれぞれに、平行な２つのガイド溝１４ａが形成されている。支持部材２１は、各ガイド溝１４ａに嵌められる複数の凸部２２を有している。凸部２２がガイド溝１４ａに沿って移動することによって、支持部材２１は左右方向で直線的に移動する。この例では、２つの支持部材２１の移動方向は互いに平行で、且つ、反対向きとなっている。
【００４２】
さらに、図３に示すように、左右の支持部材２１はピニオンギア２８を介して連結されている。ピニオンギア２８は、支持部材２１の移動に伴って回転するように配置されている。この例では、各支持部材２１は、反対側の支持部材２１に向かって、それらの移動方向（すなわち右方向又は左方向）に伸びるラック２１ｆを有し、２つのラック２１ｆの間にピニオンギア２８が配置されている。ピニオンギア２８はラック２１ｆに形成された歯と噛み合っている。そのため、一方の支持部材２１の移動は、このピニオンギア２８によって、他方の支持部材２１に伝えられる。その結果、２つの支持部材２１は互いに反対方向に等距離だけ移動する。
【００４３】
図１０に示すように、支持部材２１は、支持凹部１３の半径方向の中心線Ｃに向かって突出する、細長い係合ピン２５を含んでいる。係合ピン２５は、支持部材２１の当接面２１ａから突出している。
【００４４】
この例では、支持部材２１内には収容室２１ｄが形成され、支持部材２１の当接面２１ａには、収容室２１ｄまで伸びる孔２１ｅが形成されている。係合ピン２５は、収容室２１ｄから孔２１ｅに挿入されている。そして、係合ピン２５の先端２５ａは、当接面２１ａから中心線Ｃに向かって突出している。左右の支持部材２１に設けられた２つの係合ピン２５は、左右方向で互いに向き合っている。
【００４５】
第２コントローラ８０の外周面には２つの凹部８０ａが形成され、これらの位置は係合ピン２５の先端２５ａの位置に対応している（図１参照）。また、第１コントローラ９０の外周面にも２つの凹部９０ａが形成され、これらの位置は、係合ピン２５の先端２５ａの位置に対応している（図１参照）。コントローラ８０，９０が支持凹部１３に嵌められた時には、係合ピン２５の先端２５ａは、コントローラ８０，９０の凹部８０ａ，９０ａに嵌る。
【００４６】
先端２５ａが凹部８０ａ，９０ａに嵌る方向（この例では、左右方向）は、コントローラ８０，９０が支持凹部１３に嵌められる方向（この説明では、上下方向）に対して概ね垂直となっている。そのため、先端２５ａが凹部８０ａ，９０ａに嵌ることによって、コントローラ８０，９０の支持凹部１３からの抜けが防止される。すなわち、コントローラ８０，９０の上方への移動が抑えられる。また、支持凹部１３の中心線Ｃを中心としたコントローラ８０，９０の右回り及び左回りの回転も規制される。
【００４７】
なお、上述したように、２つの支持部材２１は、コントローラ８０，９０を挟むように配置されており、コントローラ８０，９０の左右方向への傾倒は、これら２つの支持部材２１によって制限される。また、上述したように、各支持部材２１の当接面２１ａは、平面Ｐ１の両側にある少なくとも２つの位置で、コントローラ８０，９０の外周面に当接し、コントローラ８０，９０を支持している。そのため、コントローラ８０，９０の前後方向への傾倒も、左右の支持部材２１によって制限される。また、この例では、後述するように、支持凹部１３には、上方に突出する凸部１３ｅや収容壁１３ｄが形成され、コントローラ８０,９０には凸部１３ｅと収容壁１３ｄとが嵌る凹部が形成されている。コントローラ８０,９０の左右方向及び前後方向への傾倒は、凸部１３ｅと収容壁１３ｄがコントローラ８０,９０に嵌ることによっても規制される。
【００４８】
係合ピン２５は、先端２５ａが支持部材２１から突出するように配置されるとともに、後退可能となるように支持されている。つまり、係合ピン２５が通常位置（コントローラ８０,９０から力を受けていないときの位置、図１０に示す係合ピン２５の位置）にあるとき、先端２５ａはコントローラ８０，９０の外周面に当接する当接面２１ａから突出している。係合ピン２５は、支持部材２１の動きとは独立して通常位置から後退できるよう設けられている。この例では、図１０に示すように、係合ピン２５は収容室２１ｄから孔２１ｅに挿入されている。そのため、係合ピン２５の先端２５ａは、収容室２１ｄに向かって引っ込むことができる。なお、収容室２１ｄ内にはバネ２６が配置されている。係合ピン２５は、このバネ２６によって、通常位置に向けて付勢されている。すなわち、バネ２６は係合ピン２５の基部２５ｂを支持凹部１３の中心線Ｃに向けて押している。
【００４９】
支持凹部１３にコントローラ８０，９０が嵌められるとき、係合ピン２５は次のように動く。まず、コントローラ８０，９０の底面８３，９３が支持部材２１の当接面２１ａに当たり、２つの支持部材２１を押し広げる。この時、係合ピン２５の先端２５ａにも底面８３，９３が当たり、係合ピン２５は当接面２１ａに形成された孔２１ｅに沈むように動く。コントローラ８０，９０の外周面に形成された凹部８０ａ，９０ａの位置と係合ピン２５の位置とが合致したとき、係合ピン２５は通常位置に復帰し、先端２５ａは凹部８０ａ，９０ａに嵌る。
【００５０】
なお、凹部８０ａの高さ（第２コントローラ８０の底面８３の最下部から、凹部８０ａを含む水平面までの距離）は、凹部９０ａの高さ（第１コントローラ９０の底面９３の最下部から、凹部９０ａを含む水平面までの距離）と等しくなっている。そのため、凹部８０ａに係合ピン２５が嵌る位置まで第２コントローラ８０が支持凹部１３に挿入された時の、底面８３の高さ（支持凹部１３の底面１３ｈから底面８３の最下部までの距離）と、凹部９０ａに係合ピン２５が嵌る位置まで第１コントローラ９０が支持凹部１３に挿入された時の、底面９３の高さは等しくなっている。
【００５１】
図５に示すように、コントローラ支持装置１０はストッパ機構３０を備えている。ストッパ機構３０は、細い方のコントローラである第２コントローラ８０が支持凹部１３に嵌められた時に、支持部材２１の第２支持位置からの移動を規制するための機構である。ストッパ機構３０は、支持凹部１３にコントローラ８０，９０が嵌められた時に、コントローラ８０，９０に押されて移動する被押圧部３３を有している。また、ストッパ機構３０は、被押圧部３３に連動するよう設けられ、支持部材２１の移動を抑制するための係止部３４ａを有している。この例では、ストッパ機構３０は、支持凹部１３の下方に配置されるレバー３１を備えている。この例では、レバー３１は、左右の支持部材２１の間の下方に位置している。被押圧部３３と係止部３４ａは、このレバー３１に形成されている。
【００５２】
図５及び図９に示すように、レバー３１は、回転可能に支持された支点部３２を有している。この例では、レバー３１は左右方向に突出する２つの支点部３２を有している。支持凹部１３の下面には２つの突起１５が形成され、これらの突起１５が支点部３２を回転可能に支持している。レバー３１は、支点部３２の回転の中心線が、支持部材２１の移動方向（ここでは左右方向）に向くように配置されている。
【００５３】
被押圧部３３はレバー３１の一端側に位置している。また、レバー３１は、支点部３２から被押圧部３３とは反対側に伸びるアーム３４を有し、係止部３４ａはこのアーム３４の先端に位置している。すなわち、支点部３２は、被押圧部３３と係止部３４ａとの間に位置している。
【００５４】
図１２及び図１３はストッパ機構３０の動きを示す図である。図１２は、図５と同じ切断線で得られる断面を示している。図１２（ａ）は通常状態にある支持装置本体１１を示し、図１２（ｂ）は、第２コントローラ８０が装着された時の支持装置本体１１を示している。図１３は支持装置本体１１の背面図であり、図１３（ａ）は、図７と同様に通常状態にある支持装置本体１１を示し、図１３（ｂ）は、第２コントローラ８０が装着された時の支持装置本体１１を示し、図１３（ｃ）は第１コントローラ９０が装着された時の支持装置本体１１を示している。
【００５５】
被押圧部３３は、コントローラ８０，９０が、支持凹部１３内の所定の位置（以下、正規の位置とする）に到来した時に、当該コントローラ８０，９０が被押圧部３３に当るように配置されている。この例では、図５に示すように、被押圧部３３は、支持凹部１３の底に配置されている。詳細には、支持凹部１３の底面１３ｈには開口１３ａが形成され、被押圧部３３はこの開口１３ａから上方に突出している。
【００５６】
レバー３１は、図１２（ａ）に示すレバー３１の位置（被押圧部３３が底面１３ｈから上方に突出し、且つレバー３１の一端側が支持凹部１３の下面に当っている時の位置（通常レバー位置））と、図１２（ｂ）に示すレバー３１の位置（被押圧部３３の上面の高さが底面１３ｈと概ね等しくなる位置（被押圧レバー位置）との間で、支点部３２を中心にして回転可能となっている。そのため、図１２に示すように、コントローラ８０，９０の下部が適切に支持凹部１３に嵌った時には、コントローラ８０，９０の底面８３，９３が、被押圧部３３に当って被押圧部３３を押し下げ、被押圧部３３の上面の高さは底面１３ｈと概ね等しくなる。なお、図５に示すように、支持凹部１３の下面とレバー３１との間には、レバー３１を通常レバー位置に向けて付勢するバネ３５が配置されている。
【００５７】
なお、ここで支持凹部１３内の正規の位置とは、支持凹部１３におけるコントローラ８０，９０の位置として許容される最も低い位置である。この例では、上述した支持部材２１に設けられた係合ピン２５が、コントローラ８０，９０に形成された凹部８０ａ，９０ａに嵌った時のコントローラ８０，９０の位置である。
【００５８】
上述したように、係止部３４ａは支点部３２を挟んで被押圧部３３とは反対側に位置している。そのため、図１２に示すように、係止部３４ａは、支点部３２を中心にして被押圧部３３とは反対方向に動く。すなわち、被押圧部３３が下方に移動したときには、係止部３４ａは上方に移動する。
【００５９】
係止部３４ａは、被押圧部３３が下方に移動した時に、支持部材２１の移動を抑制するように動く。この例では、第２コントローラ８０が支持凹部１３における正規の位置に到来したときに、係止部３４ａは、支持部材２１が第２支持位置を越えて第１支持位置に向かって移動するのを規制する。具体的には、図１３（ａ）及び図１３（ｂ）に示すように、第２コントローラ８０が正規の位置に到来し、被押圧部３３が下方に移動した時、係止部３４ａは、第１支持位置に向かう支持部材２１の進路上の位置に移動する。その結果、係止部３４ａは、支持部材２１が第２支持位置を越えて第１支持位置に向かって移動するのを阻止する。
【００６０】
この例では、図５又は図７に示すように、支持部材２１は、その後部２１ｇに、下方に突出する被係止部２３を有している。左右の支持部材２１の被係止部２３は、互いに向き合うように配置されている。この例では、各支持部材２１の後部２１ｇは、反対側の支持部２１に向かって、すなわち、支持凹部１３の中心線Ｃを通り且つ前後方向に平行な平面Ｐ２に向かって伸びる延伸部２３ａを有している。被係止部２３は、延伸部２３ａの先端から下方に伸びている。左右の支持部材２１が有する被係止部２３は、平面Ｐ２の両側に位置し、僅かな間隔を空けて向き合っている。図７に示すように、レバー３１のアーム３４は、被係止部２３の下方に位置している。アーム３４の先端には、左右方向で互いに向き合う壁状に形成された、２つの係止部３４ａが形成されている。２つの係止部３４ａも、被係止部２３と同様に、平面Ｐ２を挟んで互いに反対側に位置している。２つの係止部３４ａの間隔は、左右の被係止部２３の間隔より大きくなっている。
【００６１】
図１３に示すように、左右の被係止部２３は、支持部材２１の移動によって、図１３（ａ）及び図７に示す通常位置（支持部材２１が通常位置にあるときの被係止部２３の位置（通常被係止部位置）、左右の被係止部２３が最も接近した最近接位置）から互いに離れるように移動する。すなわち、被係止部２３は、第１コントローラ９０が嵌められた時には、最近接位置から、図１３（ｃ）が示す被係止部２３の位置（第１の被係止部位置、被係止部２３の移動が係止部３４ａによって規制されない非ロック位置、左右の被係止部２３が最も離れた位置、以下において最離隔位置とする）まで移動する。また、被係止部２３は、第２コントローラ８０が支持凹部１３に嵌められた時には、最近接位置から、図１３（ｂ）に示す被係止部２３の位置（第２の被係止部位置、被係止部２３の移動が係止部３４ａによって規制されるロック位置、以下においては中途離隔位置とする）に移動する。
【００６２】
図１２（ｂ）又は図１３（ｂ）に示すように、第２コントローラ８０が支持凹部１３に嵌められる時、第２コントローラ８０の底面８３が左右の支持部材２１を押し広げ、その結果、２つの被係止部２３は中途離隔位置に配置される。また、この時、第２コントローラ８０の底面８３はレバー３１の被押圧部３３を押し下げる。被押圧部３３のその移動によって、左右の係止部３４ａは被係止部２３の進路上の位置まで上方に移動し、中途離隔位置にある２つの被係止部２３を挟むように配置される。その結果、中途離隔位置を越える被係止部２３の移動が阻止される。これによって、左右の支持部材２１が第２支持位置からさらに広がることが防止され、コントローラ支持装置１０による第２コントローラ８０の支持が確実になる。
【００６３】
一方、第１コントローラ９０が支持凹部１３に嵌められるときには、係止部３４ａは、被係止部２３の最離隔位置への移動を許容する。この例では、図１３（ｃ）に示すように、第１コントローラ９０が支持凹部１３に嵌められ、その底面９３が左右の支持部材２１を押し広げる時、２つの被係止部２３は最離隔位置に向けて移動する。また、この時、第１コントローラ９０の底面９３がレバー３１の被押圧部３３を押し下げるため、左右の係止部３４ａは被係止部２３の進路上の位置に向かって上方に移動する。第１コントローラ９０が支持凹部１３に嵌められる場合には、係止部３４ａが被係止部２３の進路上の位置に達する前に、被係止部２３は中途離隔位置を通過している。すなわち、被係止部２３が中途離隔位置を通過した後に、係止部３４ａが被係止部２３の進路上の位置に達するように、係止部３４ａが被係止部２３の進路に至るタイミングや、レバー３１の回転が開始するタイミングが設定されている。例えば、コントローラ支持装置１０の設計段階において、被押圧部３３の高さを調整したり、通常状態にある係止部３４ａから、被係止部２３の進路上の位置までの距離を調整することによって、これらのタイミングを調整できる。なお、第２コントローラ８０が支持凹部１３に嵌められる時には、係止部３４は、被係止部２３が中途離隔位置を通過する前に、当該被係止部２３の進路上に到来するため、被係止部２３の中途離隔位置を越える移動が阻止される。
【００６４】
図４、図６又は図９に示すように、コントローラ支持装置１０は、コントローラ８０，９０と電気的に接続するための複数の端子４を有している。複数の端子４は、支持凹部１３の下方に配置され、左右方向に並んでいる。コントローラ８０，９０の底面８３，９３には、端子４に接触させるための小さな板状の接触端子８３ａ，９３ａが設けられている（図１参照）。なお、端子４には不図示の電線（不図示）が接続されている。また、端子４は、例えば、コントローラ８０，９０を充電するための端子として利用される。
【００６５】
図６に示すように、端子４は細長い金属材料（この例ではトーションバネ）によって構成され、レバー３１と概ね平行に配置されている。端子４は、その先端部に接触部４ａを有している。台座１２は接触部４ａを収容するように形成されている。この例では、支持凹部１３の底面１３ｈに、左右方向に並ぶ複数の端子孔１３ｃが形成されている。また、支持凹部１３は、端子孔１３ｃの縁で立つ収容壁１３ｄを有している。接触部４ａは、端子孔１３ｃから上方に突出し、収容壁１３ｄによって囲まれている。このようにして、接触部４ａは収容壁１３ｄに収容されている。
【００６６】
なお、コントローラ８０，９０の底面８３，９３には、複数の凹部が形成され、この凹部の内側に接触端子８３ａ，９３ａが設けられている。そのため、コントローラ８０，９０が支持凹部１３における正規の位置に達した時、底面８３，９３に形成された凹部に収容壁１３ｄが嵌る。
【００６７】
図１４は端子４の動きを説明するための図である。図１４では、図６と同じ切断線で得られる断面が示されている。図１４（ａ）は、図６と同様に通常状態にある支持装置本体１１を示し、図１４（ｂ）は第２コントローラ８０が装着された時の支持装置本体１１を示している。
【００６８】
端子４の接触部４ａは、レバー３１の被押圧部３３と連動するよう設けられている。具体的には、接触部４ａは、被押圧部３３が下方に動いたときに、支持凹部１３の内側に突出するように設けられている。この例では、被押圧部３３が下方に動いたときに、接触部４ａが収容壁１３ｄの間から上方に突出するように、レバー３１と端子４とが連結されている。
【００６９】
詳細には、図６に示すように、端子４は、その端部（接触部４ａとは反対側の端部）に、回転可能に支持された支点部４ｂを有している。また、端子４は、レバー３１と連結される連結部４ｃを有している。接触部４ａと連結部４ｃは、支点部４ｂに対して同じ方向に位置している。すなわち、連結部４ｃは支点部４ｂと接触部４ａとの間の部分に形成されている。上述したように、レバー３１は被押圧部３３とは反対方向に伸びるアーム３４を有しており、連結部４ｃはこのアーム３４に連結されている。
【００７０】
上述したように、被押圧部３３が押し下げられたときには、アーム３４は支点部３２を中心にして上方に移動する（図１２（ｂ）参照）。そのため、図１４（ｂ）に示すように、被押圧部３３が押し下げられたときには、連結部４ｃも上方に移動する。接触部４ａは、支点部４ｂに対して、連結部４ｃと同じ方向に位置しているので、接触部４ａは、支点部４ｂを中心にして連結部４ｃと同じ方向に移動する。すなわち、図１４に示すように、接触部４ａは、連結部４ｃとともに、上方に移動する。その結果、支持凹部１３に形成された収容壁１３ｄから接触部４ａの端部は上方に突出する。
【００７１】
なお、図７に示すように、この例の支点部４ｂはコイル状に形成されている。台座１２の上板部１４の下方には、上板部１４から下方に伸びる柱部１７を介して上板部１４に連結された下板部１６が配置されている。この下板部１６は、左右方向に向いた軸部１６ａを有している。コイル状の支点部４ｂは、この軸部１６ａに嵌められ、回転可能に支持されている。
【００７２】
また、図９に示すように、アーム３４には左右方向に長い軸部３４ｂが形成されている。一方、端子４の連結部４ｃもコイル状に形成され、軸部３４ｂはこの連結部４ｃに通されている。
【００７３】
図３又は図５に示すように、支持凹部１３には、その内側に突出する凸部１３ｅが形成されている。凸部１３ｅは、支持凹部１３の中心線Ｃから離れた位置に形成されている。この例では、図５に示すように、凸部１３ｅは、支持凹部１３の側面１３ｆに形成されている。一方、第２コントローラ８０と第１コントローラ９０の底面８３，９３には、凸部１３ｅに嵌合可能な凹部（不図示）が形成されている。これによって、コントローラ８０，９０が誤った方向に向いた状態（例えば、コントローラ８０，９０の前面が後方に向いた状態）で、コントローラ８０，９０が支持凹部１３に嵌められることを防止できる。
【００７４】
また、凸部１３ｅの上端１３ｇは、被押圧部３３の上端と収容壁１３ｄの上縁よりも高い位置に位置している。そのため、コントローラ８０，９０が誤った方向に向いた状態で、これらのコントローラ８０，９０を支持凹部１３に嵌めようとした時に、被押圧部３３がコントローラ８０，９０によって押し下げられることを防止できる。その結果、コントローラ８０，９０が誤った方向に向いているときに、端子４の接触部４ａが収容壁１３ｄの間から上方に突出することを防止できる。
【００７５】
以上説明したように、コントローラ支持装置１０では、支持凹部１３は、第１コントローラ９０を嵌めることができる大きさを有している。また、支持部材２１は、第１コントローラ９０が支持凹部１３に嵌められた時に当該第１コントローラ９０の外周面に当る第１支持位置と、第１コントローラ９０より細い第２コントローラ８０が支持凹部１３に嵌められた時に当該第２コントローラ８０の外周面に当る第２支持位置との間を移動可能となっている。そのため、このようなコントローラ支持装置１０によれば、第１コントローラ９０と第２コントローラ８０のいずれをも安定的に支持できる。
【００７６】
なお、本発明は、以上説明したコントローラ支持装置１０或いはコントローラ支持システム１に限られず、種々の変更が可能である。
【００７７】
例えば、以上の説明では、第１コントローラ９０と第２コントローラ８０は、略円柱状であった。しかしながら、コントローラ支持装置１０が支持するコントローラは、これに限られず、例えば、四角柱状に形成されていてもよい。また、ユーザの操作態様に合わせて、円柱や四角柱とは異なる形状のコントローラの支持に本発明は適用されてもよい。
【００７８】
また、以上の説明では、第１コントローラ９０と第２コントローラ８０の双方が、略円柱状であった。しかしながら、いずれか一方が略円柱状に形成され、他方は、例えば、略四角柱状に形成されてもよい。
【００７９】
また、以上の説明では、コントローラ８０，９０は上下方向に立った状態で支持されていた。しかしながら、コントローラ支持装置１０の支持凹部１３は、コントローラ８０，９０を前方或いは後方に僅かに傾いた状態で支持するように形成されてもよい。
【００８０】
また、以上の説明では、コントローラ８０，９０の底面８３，９３が半球状に形成され、支持凹部１３もそれに合わせて半球状に形成されていた。しかしながら、底面８３，９３、及び、支持凹部１３の形状はこれに限られず、例えば、底面８３，９３は平たい面でもよい。この場合、支持凹部１３の底部も平らに形成されてもよい。
【００８１】
また、以上の説明では、支持部材２１は、上板部１４上に配置されていた。しかしながら、支持部材２１は、上板部１４から上方に離れた位置に配置され、台座１２に取り付けられた上板部１４とは異なる部材を介して支持されてもよい。
【００８２】
また、以上の説明では、２つの支持部材２１が移動可能に設けられていたが、いずれか一方のみが移動可能に設けられてもよい。
【００８３】
また、以上の説明では、コントローラ支持装置１０の台座１２には、１つの支持凹部１３が形成されていた。しかしながら、台座１２に形成される支持凹部１３の数はこれに限られず、台座１２には２つの支持凹部１３が形成されてもよい。そして、各支持凹部１３に支持部材２１が設けられてもよい。図１５は、この形態に係るコントローラ支持装置１００の斜視図である。図１５（ａ）では、斜め上方から臨むコントローラ支持装置１００が示され、同図（ｂ）では、斜め下方から臨むコントローラ支持装置１００が示されている。図１６は、蓋部材１１９が取り外されたコントローラ支持装置１００の斜視図である。なお、これらの図において、以上説明した箇所と同一箇所には同一符号を付し、以下ではその説明を省略する。
【００８４】
図１６に示すように、コントローラ支持装置１００は、台座１１２を有している。台座１１２は左右方向に細長い上板部１１４を有している。上板部１１４には２つの支持凹部１３が形成され、各支持凹部１３には、上述したコントローラ支持装置１０と同様に、２つの支持部材２１が設けられている。１つの支持凹部１３に設けられた２つの支持部材２１は左右方向で互いに向き合うように配置され、開閉可能に支持されている。２つの支持凹部１３は、支持部材２１が向き合っている方向、すなわち、左右方向に並んでいる。そのため、ユーザが、コントローラ支持装置１００の正面に位置するユーザがコントローラ８０，９０を支持凹部１３に嵌めようとする際や、コントローラ８０，９０を支持凹部１３から抜こうとする際に、コントローラ８０，９０からの力が左右の支持部材２１に対して均等に作用し易くなる。なお、２つの支持凹部１３は左右方向で互いに離れて形成され、左右方向に並んだ４つの支持部材のうち内側の２つの支持部材の間には、これら２つの支持部材の移動を許容するためのスペースが設けられている。
【００８５】
図１５（ａ）に示すように、蓋部材１１９には、円形の２つの開口１１９ａが形成されている。支持部材２１は、開口１１９ａの内周縁よりも内方に張り出しており、支持部材２１の当接面２１ａは開口１１９ａから露出している。図１５（ｂ）に示すように、コントローラ支持装置１００は、上方に開いた筐体１１８を有している。筐体１１８は左右方向に細長い椀状であり、この内部に台座１１２や支持部材２１が配置されている。また、この例の筐体１１８は、その断面（鉛直方向に対して直交する面を切断面とする断面）が上方に行くほど大きくなるように形成されている。上述したように、各支持凹部１３には、コントローラ８０，９０と電気的に接続するための端子４が設けられている。筐体１１８の側面には、端子４に接続されたケーブルを通す為の孔１１８ａが形成されている。
【符号の説明】
【００８６】
１  コントローラ支持システム、４  端子、４ａ  接触部、４ｃ  連結部、１０，１００  コントローラ支持装置、１１  支持装置本体、１２，１１２  台座、１３  支持凹部、１３ｄ  収容壁、１４，１１４  上板部、１４ａ  ガイド溝、１４ｂ  ストッパ、１６  下板部、１９  筐体、２１  支持部材、２３  被係止部、２５  係合ピン、２５ａ  先端、３０  ストッパ機構、３１  レバー、３２  支点部、３３  被押圧部、３４  アーム、３４ａ  係止部、８０  第２コントローラ、８０ａ  凹部、９０  第１コントローラ。
【図１】
2011234744.tif 000003
【図２】
2011234744.tif 000004
【図３】
2011234744.tif 000005
【図４】
2011234744.tif 000006
【図５】
2011234744.tif 000007
【図６】
2011234744.tif 000008
【図７】
2011234744.tif 000009
【図８】
2011234744.tif 000010
【図９】
2011234744.tif 000011
【図１０】
2011234744.tif 000012
【図１１】
2011234744.tif 000013
【図１２】
2011234744.tif 000014
【図１３】
2011234744.tif 000015
【図１４】
2011234744.tif 000016
【図１５】
2011234744.tif 000017
【図１６】
2011234744.tif 000018